【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
遠心羽根車の下流側に設けられるシュラウド側壁面と、
該シュラウド側壁面に対向して設けられるハブ側壁面と、
前記シュラウド側壁面に基端部が固定される複数のシュラウド側翼と、
前記ハブ側壁面に基端部が固定される複数のハブ側翼と、を有し、
前記シュラウド側翼と該シュラウド側翼に組み合わされる前記ハブ側翼とは、入口角が異なるように、かつ、翼高さ方向における先端部の少なくとも一部分が互いに突き合わされる状態で組み合わされており、
前記シュラウド側翼の前記先端部と該シュラウド側翼に組み合わされる前記ハブ側翼の前記先端部とが突き合わされていない隙間には、該隙間の少なくとも一部分を埋めるように互いの前記先端部間を接続する接続部材が設けられており、
該接続部材は、複数の前記シュラウド側翼および複数の前記ハブ側翼の全前記先端部間を円周方向に連続的に接続する円環状であるとともに、その内径が前記シュラウド側翼および前記ハブ側翼の前縁半径よりも小さいことを特徴とする遠心圧縮機のディフューザ。
【請求項２】
遠心羽根車の下流側に設けられるシュラウド側壁面と、
該シュラウド側壁面に対向して設けられるハブ側壁面と、
前記シュラウド側壁面に基端部が固定される複数のシュラウド側翼と、
前記ハブ側壁面に基端部が固定される複数のハブ側翼と、を有し、
前記シュラウド側翼と該シュラウド側翼に組み合わされる前記ハブ側翼とは、入口角が異なるように、かつ、翼高さ方向における先端部の少なくとも一部分が互いに突き合わされる状態で組み合わされており、
前記シュラウド側翼の前記先端部と該シュラウド側翼に組み合わされる前記ハブ側翼の前記先端部とが突き合わされていない隙間には、該隙間の少なくとも一部分を埋めるように互いの前記先端部間を接続する接続部材が設けられており、
該接続部材は、前記シュラウド側翼の前記先端部または該シュラウド側翼に組み合わされる前記ハブ側翼の前記先端部の少なくとも一方の前縁から翼長の６０％下流までを埋めるように接続することを特徴とする遠心圧縮機のディフューザ。
【請求項３】
遠心羽根車の下流側に設けられるシュラウド側壁面と、
該シュラウド側壁面に対向して設けられるハブ側壁面と、
前記シュラウド側壁面に基端部が固定される複数のシュラウド側翼と、
前記ハブ側壁面に基端部が固定される複数のハブ側翼と、を有し、
前記シュラウド側翼と該シュラウド側翼に組み合わされる前記ハブ側翼とは、入口角が異なるように、かつ、翼高さ方向における先端部の少なくとも一部分が互いに突き合わされる状態で組み合わされており、
前記シュラウド側翼の前記先端部と該シュラウド側翼に組み合わされる前記ハブ側翼の前記先端部とが突き合わされていない隙間には、該隙間の少なくとも一部分を埋めるように互いの前記先端部間を接続する接続部材が設けられており、
前記シュラウド側翼と該シュラウド側翼に組み合わされる前記ハブ側翼とは、各々前縁を円周方向に位置をずらして配置されることを特徴とする遠心圧縮機のディフューザ。
【請求項４】
遠心羽根車の下流側に設けられるシュラウド側壁面と、
該シュラウド側壁面に対向して設けられるハブ側壁面と、
前記シュラウド側壁面に基端部が固定される複数のシュラウド側翼と、
前記ハブ側壁面に基端部が固定される複数のハブ側翼と、を有し、
前記シュラウド側翼と該シュラウド側翼に組み合わされる前記ハブ側翼とは、入口角が異なるように、かつ、翼高さ方向における先端部の少なくとも一部分が互いに突き合わされる状態で組み合わされており、
前記シュラウド側翼の前記先端部と該シュラウド側翼に組み合わされる前記ハブ側翼の前記先端部とが突き合わされていない隙間には、該隙間の少なくとも一部分を埋めるように互いの前記先端部間を接続する接続部材が設けられており、
前記シュラウド側翼と該シュラウド側翼に組み合わされる前記ハブ側翼とは、前縁から全長の６０％までが重ならないように各々円周方向に位置をずらして配置されることを特徴とする遠心圧縮機のディフューザ。
【請求項５】
請求項１から請求項４のいずれか１項に記載の遠心圧縮機のディフューザを備えることを特徴とする遠心圧縮機。
【手続補正２】
【補正対象書類名】明細書
【補正対象項目名】００１０
【補正方法】変更
【補正の内容】
【００１０】
上記目的を達成するために、本発明は、以下の手段を提供する。
本発明に係る遠心圧縮機のディフューザによれば、遠心羽根車の下流側に設けられるシュラウド側壁面と、該シュラウド側壁面に対向して設けられるハブ側壁面と、前記シュラウド側壁面に基端部が固定される複数のシュラウド側翼と、前記ハブ側壁面に基端部が固定される複数のハブ側翼と、を有し、前記シュラウド側翼と該シュラウド側翼に組み合わされる前記ハブ側翼とは、入口角が異なるように、かつ、翼高さ方向における先端部の少なくとも一部分が互いに突き合わされる状態で組み合わされており、前記シュラウド側翼の前記先端部と該シュラウド側翼に組み合わされる前記ハブ側翼の前記先端部とが突き合わされていない隙間には、該隙間の少なくとも一部分を埋めるように互いの前記先端部間を接続する接続部材が設けられていることを特徴とする。
【手続補正３】
【補正対象書類名】明細書
【補正対象項目名】００１７
【補正方法】変更
【補正の内容】
【００１７】
本発明に係る遠心圧縮機のディフューザによれば、前記接続部材は、前記シュラウド側翼の前記先端部または該シュラウド側翼に組み合わされる前記ハブ側翼の前記先端部少なくとも一方の前縁から翼長の６０％下流までを埋めるように互いの前記先端部間を接続することを特徴とする。
【手続補正４】
【補正対象書類名】明細書
【補正対象項目名】００２０
【補正方法】変更
【補正の内容】
【００２０】
本発明に係る遠心圧縮機のディフューザによれば、前記シュラウド側翼と該シュラウド側翼に組み合わされる前記ハブ側翼とは、各々前縁を円周方向に位置をずらして配置されることを特徴とする。
【手続補正５】
【補正対象書類名】明細書
【補正対象項目名】００２２
【補正方法】変更
【補正の内容】
【００２２】
本発明に係る遠心圧縮機のディフューザによれば、前記シュラウド側翼と該シュラウド側翼に組み合わされる前記ハブ側記翼とは、前縁から全長の６０％までが重ならないように各々円周方向に位置をずらして配置されることを特徴とする。
【手続補正６】
【補正対象書類名】明細書
【補正対象項目名】００２４
【補正方法】変更
【補正の内容】
【００２４】
本発明の参考例の遠心圧縮機のディフューザによれば、遠心羽根車の下流側に設けられるシュラウド側壁面と、該シュラウド側壁面に対向して設けられるハブ側壁面と、前記シュラウド側壁面に基端部が固定される複数のシュラウド側翼および前記ハブ側壁面に基端部が固定されるハブ側翼と、を有し、前記シュラウド側翼と前記ハブ側翼とは、入口角が異なるように、かつ、翼高さ方向における先端部が翼長に渡って翼厚の一部が互いに重なるように突き合わされる状態で組み合わされていることを特徴とする。
【手続補正７】
【補正対象書類名】明細書
【補正対象項目名】００２６
【補正方法】変更
【補正の内容】
【００２６】
本発明の参考例の遠心圧縮機のディフューザによれば、前記シュラウド側翼および前記ハブ側翼の各後縁の翼厚が翼長中央部の翼厚に比べて薄いことを特徴とする。
【手続補正８】
【補正対象書類名】明細書
【補正対象項目名】００２８
【補正方法】変更
【補正の内容】
【００２８】
本発明の参考例の遠心圧縮機のディフューザによれば、前記シュラウド側翼または前記ハブ側翼のどちらか一方を厚翼とし、他方を薄翼としたことを特徴とする。
【手続補正９】
【補正対象書類名】明細書
【補正対象項目名】００３３
【補正方法】変更
【補正の内容】
【００３３】
【図１】本発明の第１実施形態に係る遠心圧縮機のディフーザに設けられているシュラウド側翼およびハブ側翼であり、（Ａ）は、その斜視図であり、（Ｂ）は、（Ａ）の上面図である。
【図２】図１に示す翼の変形例２であり、（Ａ）は、その斜視図であり、（Ｂ）は、（Ａ）の上面図である。
【図３】本発明の第２実施形態に係る遠心圧縮機のディフーザに設けられているシュラウド側翼およびハブ側翼であり、（Ａ）は、その斜視図であり、（Ｂ）は、（Ａ）の上面図である。
【図４】図３に示す翼の変形例１の上面図である。
【図５】図３に示す翼の変形例２の上面図である。
【図６】本発明の第４実施形態に係る遠心圧縮機のディフーザに設けられているシュラウド側翼およびハブ側翼であり、（Ａ）は、その斜視図であり、（Ｂ）は、（Ａ）の上面図であり、（Ｃ）は、（Ａ）および（Ｂ）のＡ―Ａ部における断面図である。
【図７】本発明の第５実施形態に係る遠心圧縮機のディフーザに設けられているシュラウド側翼およびハブ側翼であり、（Ａ）は、その斜視図であり、（Ｂ）は、（Ａ）の上面図である。
【図８】本発明の第１参考実施形態に係る遠心圧縮機のディフーザに設けられているシュラウド側翼およびハブ側翼であり、（Ａ）は、その斜視図であり、（Ｂ）は、（Ａ）の上面図である。
【図９】図８に示す翼の変形例であり、（Ａ）は、その斜視図であり、（Ｂ）は、（Ａ）の上面図である。
【図１０】本発明の第２参考実施形態に係る遠心圧縮機のディフーザに設けられているシュラウド側翼およびハブ側翼であり、（Ａ）は、その斜視図であり、（Ｂ）は、（Ａ）の上面図である。
【図１１】図１０に示す翼の変形例であり、（Ａ）は、その斜視図であり、（Ｂ）は、（Ａ）の上面図である。
【図１２】本発明の第３参考実施形態に係る遠心圧縮機のディフーザに設けられているシュラウド側翼およびハブ側翼であり、（Ａ）は、その斜視図であり、（Ｂ）は、（Ａ）の上面図である。
【図１３】図１２に示す翼の変形例であり、（Ａ）は、その斜視図であり、（Ｂ）は、（Ａ）の上面図である。
【図１４】従来の遠心圧縮機の要部を示し、（Ａ）は、縦断面図であり、（Ｂ）は、側面図であり、（Ｃ）は、シュラウド側翼およびハブ側翼を拡大した斜視図であり、（Ｄ）は、（Ｃ）の上面図である。
【手続補正１０】
【補正対象書類名】明細書
【補正対象項目名】００６５
【補正方法】変更
【補正の内容】
【００６５】
［第１参考実施形態］
本参考実施形態のディフューザは、シュラウド側翼とハブ側翼との先端部が翼長に渡って翼厚の一部が互いに重なるように突き合わされる点で、第１実施形態と相違し、その他は同様である。したがって、同一の構成については、同一の符号を付してその説明を省略する。
以下、本発明の第１参考実施形態について、図８を用いて説明する。
【手続補正１１】
【補正対象書類名】明細書
【補正対象項目名】００７２
【補正方法】変更
【補正の内容】
【００７２】
［第２参考実施形態］
本参考実施形態のディフューザは、組み合わせたシュラウド側翼とハブ側翼との後縁の翼厚が薄い点で、第１参考実施形態と相違し、その他は同様である。したがって、同一の構成については、同一の符号を付してその説明を省略する。
以下、本発明の第２参考実施形態について、図１０を用いて説明する。
【手続補正１２】
【補正対象書類名】明細書
【補正対象項目名】００７７
【補正方法】変更
【補正の内容】
【００７７】
［第３参考実施形態］
本参考実施形態のディフューザは、厚翼のシュラウド側翼と薄翼のハブ側翼とを組み合わせる点で、第１参考実施形態と相違し、その他は同様である。したがって、同一の構成については、同一の符号を付してその説明を省略する。
以下、本発明の第３参考実施形態について、図１２を用いて説明する。